(57)【要約】【課題】壁体の対称性を確保するとともに、壁厚を大きく増大させることなく、衝撃音等が隣戸又は隣室に騒音伝播するのを効果的に防止する。【解決手段】中空三重壁構造の間仕切壁(50)は、壁芯位置に配置される中央面材部(60)を有する耐火構造の中央壁(51)と、外側面材部(70)を有する外側壁(52)とから構成される。外側面材部は中央面材部の両側に同厚の中空部(68)を形成する。中央壁は、音響絶縁材の敷目板（67)を介して中央面材部を支持する間柱（61)を有する。外側壁は、音響絶縁材の敷目板(77)を介して外側面材部を支持する間柱(64)を有する。【選択図】図８
2010265645.tif 000002
【特許請求の範囲】
【請求項１】
床構造体及び上階構造体の間に垂直に建込まれ、床構造体から上階構造体まで連続する壁体として施工される乾式工法の間仕切壁構造において、
壁芯位置に配置される中央面材部を有する耐火構造の中央壁と、前記中央面材部を挟んでその両側に配置された外側面材部を有する両側の外側壁とから構成され、前記中央面材部の両側に同厚の中空部を形成してなる中空三重壁構造を有し、
前記中央壁は、前記中央面材部の片側に配置され且つ音響絶縁材の敷目板を介して前記中央面材部を支持する間柱を有し、
前記外側壁は夫々、前記外側面材部の壁内側に配置され且つ音響絶縁材の敷目板を介して前記外側面材部を支持する間柱を有することを特徴とする間仕切壁構造。
【請求項２】
前記外側面材部は、石膏ボード、硬質石膏ボード、強化石膏ボード又は繊維補強石膏板を面材として含む面材積層体からなることを特徴とする請求項１に記載の間仕切壁構造。
【請求項３】
前記中央面材部は、少なくとも２枚の強化石膏ボードを接着剤及び／又は係止具によって一体的に積層した構成を有し、該中央面材部は、４０ｍｍ以上の厚さを有することを特徴とする請求項１又は２に記載の間仕切壁構造。
【請求項４】
前記敷目板は、グラスファイバーフェルト又はロックウールフェルトの帯状成形材、或いは、グラスファイバーフェルト及びロックウールフェルトの混合材料の帯状成形材からなり、１０〜３５０ｋｇ／ｍ３の範囲内の比重を有することを特徴とする請求項１乃至３のいずれか１項に記載の間仕切壁構造。
【請求項５】
前記中空部の壁厚方向の寸法は４０ｍｍ以上の値に設定され、壁体全体の壁厚は２６０ｍｍ以下の寸法に設定されることを特徴とする請求項１乃至４のいずれか１項に記載の間仕切壁構造。
【請求項６】
前記中空部には吸音材が挿入されることを特徴とする請求項１乃至５のいずれか１項に記載の間仕切壁構造。
【請求項７】
壁体全体の壁厚は２６０ｍｍ以下の寸法に設定され、ＴＬＤ−５０以上の遮音性能を有することを特徴とする請求項１乃至６のいずれか１項に記載の間仕切壁構造。
【請求項８】
前記中央面材部は、不燃材料又は準不燃材料のボード又はその積層体からなり、４０ｍｍ以上の厚さを有し、前記間柱は、上下のランナによって支持された金属製スタッドからなることを特徴とする請求項１乃至７のいずれか１項に記載の間仕切壁構造。
【請求項９】
請求項１に記載された間仕切壁構造の施工方法であって、
音響絶縁材の敷目板を介して面材を間柱の片側のみに固定してなる第１の単位隔壁を建て込み、前記面材を壁芯位置に配置して中央面材部を形成し、これにより、耐火構造の中央壁を構築する工程と、
音響絶縁材の敷目板を介して面材を間柱の片側のみに固定してなる第２の単位隔壁を第１単位隔壁の一方の側の位置に建て込み、第２単位隔壁の面材によって前記中央面材部の一方の側の位置に外側面材部を形成する工程と、
音響絶縁材の敷目板を介して面材を間柱の片側のみに固定してなる第３の単位隔壁を第１単位隔壁の他方の側の位置に建て込み、第３単位隔壁の面材によって前記中央面材部の他方の側の位置に外側面材部を形成する工程とを有し、
前記第１、第２及び第３単位隔壁によって中空三重壁構造の一体的な隔壁を形成することを特徴とする乾式間仕切壁の施工方法。
【請求項１０】
前記間柱は、上下のランナによって支持された金属製スタッドからなり、前記中央面材部は、不燃材料又は準不燃材料のボード又はその積層体からなり、４０ｍｍ以上の厚さを有し、壁体全体の壁厚は、２６０ｍｍ以下の寸法に設定されることを特徴とする請求項９に記載の施工方法。
【請求項１１】
吸音材を前記中空部に挿入することを特徴とする請求項９又は１０に記載の施工方法。
【請求項１２】
前記第１単位隔壁を建て込んだ後、前記第２又は第３単位隔壁を建て込むことを特徴とする請求項９に記載の施工方法。
【請求項１３】
前記第２又は第３単位隔壁のいずれか一方を建て込んだ後、前記第１単位隔壁を建て込むことを特徴とする請求項９に記載の施工方法。
【発明の詳細な説明】
【技術分野】
【０００１】
本発明は、間仕切壁構造に関するものであり、より詳細には、中高層建築物の戸境壁、界壁又は耐火区画壁等の隔壁として施工される乾式工法の間仕切壁構造に関するものである。
【背景技術】
【０００２】
建築物の間仕切壁には、防火性能、耐火性能、遮音性能、防振性能、振動絶縁性能、断熱性能、防犯性能等の各種性能が要求される。間仕切壁の遮音性能は、各住居又は各室の独立性及び居住性を確保する上で近年殊に重視される傾向がある。
【０００３】
一般に、鉄筋コンクリート壁等の湿式工法の壁体は、高い遮音性能を発揮する。しかし、湿式工法の間仕切壁は壁体自重が大きく、建築物軽量化等の観点より難点があり、工期及び施工性の点においても不利がある。このため、鉄筋コンクリート壁等の湿式工法の壁体は、中高層建築物の戸境壁、界壁又は耐火区画壁として使用し難い事情がある。
【０００４】
他方、乾式工法の間仕切壁は、施工容易性及び建築物軽量化の観点より有利であり、中高層建築物の戸境壁、界壁又は耐火区画壁として広く使用されている。乾式工法の間仕切壁として、石膏ボード、珪酸カルシウム板等の内装ボード材を間柱に取付けてなる軸組構造の間仕切壁と、間柱を省略した形式の間仕切壁（一般にノンスタッド構造又はスタッドレス構造と呼ばれる。）とが知られている。
【０００５】
軸組構造の間仕切壁においては、間柱は、壁芯に沿って所定間隔を隔てて整列配置され、間柱の上端部及び下端部は、天井ランナ及び床ランナに夫々支持される。内装ボード材が間柱に固定され、垂直な壁面が室内側に形成される。
【０００６】
他方、間柱を省略したノンスタッド構造又はスタッドレス構造の間仕切壁は、補強リブ等によって補強した内装ボード材を天井ランナ及び床ランナに取付けた構成を有する。
【０００７】
このような乾式工法の間仕切壁の遮音性能を向上すべく、内装ボード材自体の遮音性能や、間柱の配列等が近年殊に研究されており、その結果、鉄筋コンクリート壁に匹敵し又はそれを超える高い遮音性能を発揮する乾式工法の間仕切壁構造が開発され、中高層集合住宅又は中高層ホテル等の戸境壁又は界壁として既に実用化されている。
【０００８】
一般に、この種の間仕切壁は、中空部（空気層）を挟んでその両側に各室の面材を配置した構成を有する中空二重壁である。所望により、グラスウール等の吸音材が中空部に挿入され又は充填される。
【０００９】
このような間仕切壁において、壁体内に面材を更に配置して中空部を分割し、両側の中空部の寸法を相違させることによって非対称の中空部を形成し、これにより、壁体全体の遮音性能を向上させるように構成された中空三重壁構造の間仕切壁が特開平８−１０９６８７号公報（特許文献１）に記載されている。
【００１０】
しかしながら、集合住宅又はホテル等の各住戸、室又は客室等を区画する区画壁として設置される乾式工法の間仕切壁においては、通常は、各住戸又は各室の条件を均一化するとともに、間仕切壁のいずれの側の住戸又は室をも騒音発生源又は火災発生源として想定しなければならないことから、壁仕上のための化粧材料（クロス、化粧合板等）を除き、面材及び中空部（空気層）は壁芯（壁体中心）に対して対称に配置される。
【００１１】
また、実際の建築物においては、各種電気配線、通信配線、電線配管、給排水設備配管等が、間仕切壁の中空部に配線又は配管される。多くの配線又は配管は、壁面埋込み型の配線ボックス、給排水衛生器具等の建築設備器具に接続される。このような建築設備器具のために壁面に設けられた面材の開口部は、穴埋め処理等によって器具廻り又は配管廻りの隙間等を如何に巧く気密処理し得たとしても、特開２００１−２５４４５４号公報（特許文献２）に記載される如く、内装ボード材の断面欠損のために壁体全体の遮音性能及び耐火性能を低下させる原因となるであろう。
【００１２】
このような建築設備器具の設置に起因した遮音性能及び耐火性能の低下を防止すべく、隔壁の室内側にふかし壁（中空部及び面材）を更に形成した中空四重壁構造の間仕切壁が知られている。
【００１３】
更には、中空二重壁、中空三重壁及び中空四重壁形式の間仕切壁構造とは異質の間仕切壁構造として、本出願人は、間柱の片側面のみに石膏ボード又は珪酸カルシウム板等の面材を張り付けた構成を有する一重壁構造の耐火間仕切壁を特願２００１−１１５０１１号（特開２００２−３６９８９１号公報（特許文献３））において提案している。この構成の間仕切壁構造は、所要の耐火性能を発揮するものの、中空部を有しないことから、高い遮音性能を要求される戸境壁又は界壁等の構造としては採用し難い。
【先行技術文献】
【特許文献】
【００１４】
【特許文献２】特開平８−１０９６８７号公報
【特許文献３】特開２００１−２５４４５４号公報
【特許文献４】特開２００２−３６９８９１号公報
【発明の概要】
【発明が解決しようとする課題】
【００１５】
間仕切壁の片側の面に人又は物がぶつかり又は衝合した際に生じる衝突音、打撃音等の衝撃音や、吊り戸棚、造付け家具等の扉の開閉音等（以下、「衝撃音等」という。）が隣接住戸（隣戸）又は隣室において騒音として知覚される現象が知られている。近年建設された集合住宅等の建築物においては、住戸内又は室内の高い気密性及び遮音性を重視した設計・施工のために室内の暗騒音(Back Ground Noise)レベルが低下しており、この結果として、隣戸又は隣室の衝撃音等が戸境壁又は界壁を介して居住者等に強く意識され又は認識される傾向が生じている。
【００１６】
このため、他の住戸又は室の衝撃音等を効果的に遮音し得るように遮音性能を向上させた間仕切壁構造の開発が望まれるが、中空部（空気層）の寸法変化（非対称性）によって壁体全体の遮音性能を向上させる構成（特許文献１）は、面材及び中空部の対称性が求められる集合住宅の戸境壁等の間仕切壁構造としては採用し難い。
【００１７】
このため、このような衝撃音等の騒音伝播を防止すべく、二重壁の間仕切壁の両側にふかし壁を更に形成してなる中空四重壁形の間仕切壁構造が集合住宅の戸境壁等の構造として採用される傾向がある。しかし、中空四重壁形の間仕切壁は壁厚が大きく、このため、このような形式の間仕切壁を採用すると、室内の有効な床面積が減少してしまう。
【００１８】
しかも、この種の間仕切壁の遮音性能を測定すると、ふかし壁を備えない間仕切壁と比べて壁体の遮音性能（ＴＬＤ）が却って低下してしまうという予想外の結果が生じた。これは、ふかし壁部分の空気層が空気ばねとして働き、低周波数域（１００〜２５０Ｈｚ）の共鳴現象が発生することに起因すると考えられる。
【００１９】
本発明は、このような課題に鑑みてなされたものであり、その目的とするところは、中高層建築物の戸境壁、界壁又は耐火区画壁等の隔壁として施工される乾式工法の間仕切壁構造において、壁体の対称性を確保するとともに、壁厚を大きく増大させることなく、衝撃音等が隣戸又は隣室に騒音伝播するのを効果的に防止することができる間仕切壁構造を提供することにある。
【課題を解決するための手段】
【００２０】
上記目的を達成すべく、本発明は、床構造体及び上階構造体の間に垂直に建込まれ、床構造体から上階構造体まで連続する壁体として施工される乾式工法の間仕切壁構造において、
壁芯位置に配置される中央面材部を有する耐火構造の中央壁と、前記中央面材部を挟んでその両側に配置された外側面材部を有する両側の外側壁とから構成され、前記中央面材部の両側に同厚の中空部を形成してなる中空三重壁構造を有し、
前記中央壁は、前記中央面材部の片側に配置され且つ音響絶縁材の敷目板を介して前記中央面材部を支持する間柱を有し、
前記外側壁は夫々、前記外側面材部の壁内側に配置され且つ音響絶縁材の敷目板を介して前記外側面材部を支持する間柱を有することを特徴とする間仕切壁構造を提供する。
【００２１】
本発明の上記構成によれば、中央壁及び外側壁は夫々、間柱の片側に面材を取付けた構成を有する一重壁構造の耐火構造壁であり、このような一重壁構造の壁体が中空部の空気層を介して三層に配置されることにより、中空三重壁構造の間仕切壁が形成される。
【００２２】
本発明においては、中央面材部は壁芯位置に配置され、中央面材部の両側に同厚の中空部が形成されるので、集合住宅の戸境壁等に要求される間仕切壁の対称性が確保される。
【００２３】
また、本発明によれば、間仕切壁の耐火性は耐火構造の中央壁によって確保されるので、間仕切壁の耐火性を損なわずに、建築設備器具、配線器具、配管・配線、家具・備品等を壁内又は壁面に設置し又は固定することができる。
【００２４】
更に、上記構成の間仕切壁構造によれば、壁厚を大きく増大させることなく、衝撃音等が隣戸又は隣室に騒音伝播するのを効果的に防止することができる。これは、主として、(1)外側面材部に作用した衝撃又は振動が音響絶縁材の敷目板の緩衝作用によって減衰し、中空部内に発生する発生音の音圧レベルが低下すること、(2)外側面材部の内側面から発生した音が中央面材部及び外側面材部の音響透過損失によって減衰すること、そして、(3)中空四重壁構造の間仕切壁構造と異なり、２つの中空部を備えるにすぎず（従って、共鳴現象が発生し得る箇所数が２箇所に減少し）、しかも、各中空部の壁厚方向の寸法を比較的大きく設定することができることから、低周波数域の共鳴現象を防止して、空気ばね作用による遮音性能低下を回避し得ること、に起因すると考えられる。
【００２５】
他の観点より、本発明は、上記構成を有する間仕切壁構造の施工方法であって、
音響絶縁材の敷目板を介して面材を間柱の片側のみに固定してなる第１の単位隔壁を建て込み、前記面材を壁芯位置に配置して中央面材部を形成し、これにより、耐火構造の中央壁を構築する工程と、
音響絶縁材の敷目板を介して面材を間柱の片側のみに固定してなる第２の単位隔壁を第１単位隔壁の一方の側の位置に建て込み、第２単位隔壁の面材によって前記中央面材部の一方の側の位置に外側面材部を形成する工程と、
音響絶縁材の敷目板を介して面材を間柱の片側のみに固定してなる第３の単位隔壁を第１単位隔壁の他方の側の位置に建て込み、第３単位隔壁の面材によって前記中央面材部の他方の側の位置に外側面材部を形成する工程とを有し、
前記第１、第２及び第３単位隔壁によって中空三重壁構造の一体的な隔壁を形成することを特徴とする乾式間仕切壁の施工方法を提供する。
【発明の効果】
【００２６】
本発明の間仕切壁構造によれば、中高層建築物の戸境壁、界壁又は耐火区画壁等の隔壁として施工される乾式工法の間仕切壁構造において、壁体の対称性を確保するとともに、壁厚を大きく増大させることなく、衝撃音等が隣戸又は隣室に騒音伝播するのを効果的に防止することができる。また、本発明の施工方法によれば、３つの単位隔壁を建て込むことにより、このような間仕切壁を構築することができる。
【図面の簡単な説明】
【００２７】
【図１】従来の中空二重壁構造の間仕切壁構造を示す隔壁の縦断面図である。
【図２】図１に示す隔壁の部分横断面図である。
【図３】図１及び図２に示す隔壁の破断斜視図である。
【図４】両側にふかし壁を形成した従来の中空四重壁構造の間仕切壁構造を示す縦断面図である。
【図５】図４に示す間仕切壁構造の部分横断面図である。
【図６】図４及び図５に示す間仕切壁構造の破断斜視図である。
【図７】本発明に係る中空三重壁構造の間仕切壁構造を示す隔壁の縦断面図である。
【図８】図７に示す隔壁の部分横断面図である。
【図９】図７及び図８に示す隔壁の破断斜視図である。
【図１０】本発明の間仕切壁を構成する３つの単位隔壁を示す部分横断面図である。
【図１１】本発明の間仕切壁を構成する３つの単位隔壁を示す破断斜視図である。
【図１２】図１１に示す３つの単位隔壁を組み付けた状態を概略的に示す破断斜視図である。
【図１３】本発明に係る間仕切壁構造を含む三種類の間仕切壁構造の遮音性能を示す線図である。
【図１４】衝撃音の音響特性を示す線図である。
【発明を実施するための形態】
【００２８】
本発明の好適な実施形態によれば、外側面材部(70)は、石膏ボード、硬質石膏ボード、強化石膏ボード又は繊維補強石膏板を面材として含む面材積層体からなり、中央面材部(60)は、少なくとも２枚の強化石膏ボードを接着剤及び／又は係止具によって一体的に積層した構成を有し、４０ｍｍ（総厚）以上の厚さを有する。外側面材部(70)の面材として硬質且つ高重量のボード建材を用いることにより、衝突、打撃等の外力や、室内の衝撃音に起因した外側面材部の振動が抑制され、外側面材部の裏面から中空部内に伝播する音の音圧レベルが低減する。なお、本願において、石膏ボード、硬質石膏ボード及び強化石膏ボードの用語は、JIS A 6901において規定された定義によるものである。また、繊維補強石膏板として、石膏芯材の表層近傍にガラス繊維不織布（グラスティッシュ）を埋設してなる石膏板（商品名「タイガーグラスロック（登録商標）」（吉野石膏株式会社製品））を好適に使用し得る。
【００２９】
好ましくは、敷目板(67)は、グラスファイバーフェルト又はロックウールフェルトの帯状成形材、或いは、グラスファイバーフェルト及びロックウールフェルトの混合材料の帯状成形材からなり、１０〜３５０ｋｇ／ｍ３の範囲内の比重を有し、非圧縮時に３〜１０ｍｍ程度の厚さを有し、圧縮時に１〜６ｍｍ程度の厚さを有する。
【００３０】
面材を直に間柱に留付けた場合、面材が間柱間で弓なりに振動して発生音が増大し易いが、このような敷目板を面材と間柱との間に介挿することにより、広範囲に延在する敷目板によって面材を全体的に支受することができるので、面材の振動を抑制し、面材の裏面から発生する発生音の音圧レベルを低減することができる。
【００３１】
本発明の好適な実施形態において、中空部(68)の壁厚方向の寸法は４０ｍｍ以上の値に設定され、壁体全体の壁厚(T50)は２６０ｍｍ以下の寸法に設定される。
【００３２】
本発明の他の好適な実施形態において、壁体全体の壁厚(T50)は２６０ｍｍ以下の寸法に設定され、間仕切壁はＴＬＤ−５０以上、好ましくはＴＬＤ−５５以上の遮音性能を有する。
【００３３】
好ましくは、中央面材部(60)は、不燃材料又は準不燃材料のボード又はその積層体からなり、４０ｍｍ（総厚）以上の厚さを有し、間柱は、上下のランナによって支持された金属製スタッド又は鋼製スタッドからなる。
【００３４】
また、本発明の好適な実施形態に係る乾式間仕切壁の施工方法においては、間柱は、上下のランナによって支持された金属製スタッドからなり、中央面材部は、不燃材料又は準不燃材料のボード又はその積層体からなり、４０ｍｍ以上の厚さを有し、壁体全体の壁厚は、２６０ｍｍ以下の寸法に設定され、中央面材部の両側の中空部には、吸音材が挿入される。実際の施工は、第１単位隔壁を先に建て込んだ後、第２又は第３単位隔壁を建て込むことによって実施され、或いは、第２又は第３単位隔壁のいずれか一方を先に建て込んだ後、第１単位隔壁を建て込むことによって実施される。
【実施例１】
【００３５】
以下、添付図面を参照して、従来の間仕切壁構造について説明するとともに、本発明の実施例に係る間仕切壁構造について詳細に説明する。
【００３６】
図１は、従来の間仕切壁構造を示す隔壁の縦断面図である。図２は、図１に示す隔壁の部分横断面図であり、図３は、図１及び図２に示す隔壁の破断斜視図である。なお、図３においては、図１に示す天井構造体又は床構造体の図示は省略されている。
【００３７】
図１〜図３を参照して、中高層集合住宅又はホテルの戸境壁又は界壁として実際に施工されている乾式工法の間仕切壁について説明する。
【００３８】
隔壁１は、鋼製下地の軸組を有する中空二重壁構造の乾式間仕切壁である。下地は、床スラブ等の床構造体Ｆ１上に配置された下部ランナ２と、上階床スラブ等の上階構造体Ｆ２の下面に固定された上部ランナ３と、上下のランナ２、３の間に垂直に建込まれた多数の間柱４とから構成される。間柱４は、図２に示す如く、壁芯に沿って千鳥配列に配置される。隔壁１の壁厚Ｔ1は約１３５ｍｍである。
【００３９】
下張り面材として、内装ボード材５がビス及び／又は接着剤によって間柱４に固定され、上張り面材として、内装ボード材６がステープル及び／又は接着剤によって内装ボード材５の外側面に固定される。内装ボード材５、６は隔壁１の全高に亘って連続し、床構造体Ｆ１の上面から上階構造体Ｆ２の下面まで延在する。両側の内装ボード材５の間には、実質的に密閉された隠蔽空間として中空部（空気層）８が形成される。断熱・吸音材７が中空部８に挿入される。断熱・吸音材７は、図２に示す如く間柱４の間に挿入される。
【００４０】
隔壁１の構成部材として、例えば、以下の建築材料が使用される。
・下部ランナ２  ：軽量型鋼Ｃ−７５mm×４０mm×０．８mm
・上部ランナ３  ：軽量型鋼Ｃ−７５mm×４０mm×０．８mm
・間柱４：軽量型鋼Ｃ−６５mm×４５mm×０．８mm
・内装ボード材５：強化石膏ボード・厚さ２１mm（吉野石膏株式会社製品「タイガーボード・タイプＺ」）
・内装ボード材６：硬質石膏ボード・厚さ９．５mm（吉野石膏株式会社製品「タイガースーパーハード」）
・断熱・吸音材７：グラスウール２４ｋ・厚さ５０mm
【００４１】
なお、強化石膏ボードは、ガラス繊維を含有する石膏芯を石膏ボード原紙で被覆してなる石膏ボードであり、耐火性能を強化した石膏ボードである。また、硬質石膏ボードは、比重、曲げ破壊荷重及び表面の硬さを増大するとともに、吸水性を低下させた硬質、高比重且つ高強度の石膏ボードである。
【００４２】
図１に示されるように、天井部分には、天井構造体２０が施工される。天井構造体２０の天井下地は、上階構造体Ｆ２から垂下する多数の天井吊りボルト２１と、ハンガー２２等によって天井吊りボルト２１に係止された野縁受け材２３と、野縁受け材２３に支持された野縁材２４とから構成される。石膏ボード又はロックウール吸音板等の天井用内装ボード材２５が、ビス等の係止具によって野縁材２４の下面に固定される。
【００４３】
床部分には、二重床構造体３０が施工される。二重床構造体３０は、多数の支持脚３１を床構造体Ｆ１上に立設し、床下地板３２を支持脚３１によって支承した構造を有する。床仕上材３３が床下地板３２上に更に積層される。
【００４４】
図１３は、図１〜図３に示す間仕切壁構造を含む三種類の間仕切壁構造の遮音性能を示す線図である。
【００４５】
図１〜図３に示す構造の隔壁１は遮音性能ＴＬＤ−５６の遮音壁であり、周波数１２５Ｈｚの騒音に対して４０ｄＢ以上の音響透過損失を発揮する。
【００４６】
図１４は、衝撃音の音響特性を示す線図である。図１４には、間仕切壁の片側の壁面を手で叩いた際に発生する「ドンドン」という打撃音の音響特性が例示されている。図１１に示す音響特性においては、打撃音は、周波数１２５Ｈｚにおいて音圧レベルのピークを有する騒音である。このようにピーク値が低周波数域に顕れる音響特性は、打撃音全般に概ね共通する性質であると考えられる。
【００４７】
内装ボード材５は厚さ２１mmの強化石膏ボードであり、内装ボード材６は厚さ９．５mmの硬質石膏ボードであるので、隔壁１は、比較的高い剛性を有する振動し難い壁面を備える。しかしながら、本発明者等の実験によれば、図１及び図２に矢印で示す如く片側の壁面を所定の力で叩くと、内装ボード材５、６は振動し、中空部８に面する内装ボード材５の面を音源とした比較的大きな打撃音が中空部８内に発生した。即ち、手で壁面を叩いた状態を模擬した砂袋打撃試験の結果、中空部８内に発生した打撃音の騒音レベルは、８０ｄＢ（Ａ）に達した。この打撃音は、反対側の内装ボード材５、６（片側隔壁部分９）を透過して反対側の壁面から室内空間に伝播した。打撃音は断熱・吸音材７及び内装ボード材５、６によって遮音されるものの、非音源側の室内空間で測定された騒音レベルは５５ｄＢ（Ａ）であった。従って、打撃音に対する片側隔壁部分９の遮断性能は２５ｄＢ（Ａ）であるにすぎない。
【００４８】
図４は、両側にふかし壁を形成した従来の間仕切壁構造を示す縦断面図であり、図５は、図４に示す間仕切壁構造の部分横断面図である。また、図６は、図４及び図５に示す間仕切壁構造の破断斜視図である。なお、図６においては、図４に示す天井構造体及び床構造体の図示は省略されている。
【００４９】
図４〜図６には、図１〜図３に示す隔壁１の両側にふかし壁１１を更に配設した間仕切壁構造の隔壁１０が示されている。ふかし壁１１は、隔壁１の壁面に沿って施工された壁下地と、壁下地の室内側に取付けられた内装ボート材１５とから構成される。隔壁１０の壁厚Ｔ10は約２６０ｍｍである。
【００５０】
ふかし壁１１の壁下地は、隔壁１の壁面から僅かに間隔（例えば、１０mmの間隔）を隔てて床構造体Ｆ１上に配置された下部ランナ１２と、上階構造体Ｆ２の下面に固定された上部ランナ１３と、上下のランナ１２、１３の間に垂直に建込まれた多数の間柱１４とから構成される。内装ボード材１５は、ビス及び／又は接着剤によって間柱１４の室内側面に固定される。内装ボード材１５の表面（室内側面）には、塗装又はクロス貼り仕上等の所望の内装仕上が施される。隔壁１の壁面と内装ボード材１５との間には、中空部（空気層）１８が形成される。
【００５１】
ふかし壁１０の構成部材として、例えば、以下の建築材料が使用される。
・下部ランナ１２  ：軽量型鋼Ｃ−４０mm×４０、３２mm×０．５mm
・上部ランナ１３  ：軽量型鋼Ｃ−４０mm×４０、３２mm×０．５mm
・間柱１４：軽量型鋼Ｃ−４０mm×４５mm×０．５mm
・内装ボード材１５：石膏ボード・厚さ１２．５mm
【００５２】
中空部１８には、電気・通信配線、配線用配管、空調制御配線用配管、給水配管又は給湯配管等の各種系統の配線・配管を施工することができる。これらの配線・配管を接続可能な建築設備器具又は配線器具として、電源コンセントの金属製又は樹脂製配線ボックス９０が図４に破線で示されている。電線配管９１（一部のみ示す）が中空部１８内に施工され、電線９２（一部のみ示す）の末端部が配線器具９３に接続される。電線配管９１は、電線９２を通線可能な金属管又は樹脂管からなり、係止具等によって間柱１４等に固定され、中空部１８内に支持される。このようなふかし壁１１を有する間仕切壁構造によれば、建築設備器具、配線器具等を集合住宅の戸境壁に配置し、或いは、吊り戸棚、壁掛けテレビ等を集合住宅の戸境壁に固定することが可能となる。
【００５３】
このように建築設備器具又は配線器具等をふかし壁１１の壁面に配設するように構成された隔壁１０においては、隔壁１の内装ボード材５、６には断面欠損が生じない。従って、図４〜図６に示す隔壁１０は、図１〜図３に示す隔壁１と比べ、耐火性能及び遮音性能の双方において優れた性能を発揮すると考えられる。
【００５４】
しかしながら、本発明者等の実験によれば、隔壁１０は、図１３に示す如く、２５０Ｈｚを超える周波数域において比較的優れた遮音性能を発揮するものの、隔壁１０の遮音性能は、２５０Ｈｚ以下の周波数域において大きく低下した。このため、隔壁１が遮音性能ＴＬＤ−５６の遮音壁であるのに対し、ふかし壁１１を備えた隔壁１０は、遮音性能ＴＬＤ−４９しか得られないと判明した。即ち、ふかし壁１１の設置によって間仕切壁構造の遮音性能（ＴＬＤ）が却って低下してしまうという予想外の結果が生じた。
【００５５】
本発明者等の実験によれば、図４及び図５に矢印で示す如く片側の壁面を所定の力で叩くと、内装ボード材１５は振動し、中空部１８に面する内装ボード材１５の面を音源とした比較的大きな打撃音が中空部１８内に発生した。内装ボード材１５は厚さ１２．５ｍｍの石膏ボードであることから、比較的剛性が低く、従って、振動し易いので、中空部１８内に発生した打撃音の騒音レベルは９０ｄＢ（Ａ）に達した。この打撃音は、隔壁１と非音源側のふかし壁１１とを透過して反対側の壁面から室内空間に伝播した。打撃音は断熱・吸音材７及び内装ボード材５、６、１５によって遮音されるものの、非音源側の室内空間で測定された騒音レベルは６０ｄＢ（Ａ）であった。従って、打撃音に対する隔壁１及び非音源側ふかし壁１１の遮断性能は３０ｄＢ（Ａ）である。
【００５６】
このようにふかし壁１１を隔壁１の両側に設けた隔壁１０においては、中空部１８内に比較的大きな打撃音が発生するとともに、隔壁１及びふかし壁１１によって十分な遮断性能が得られないことから、打撃音を有効に遮音し難いと判明した。隔壁１及びふかし壁１１によって十分な遮断性能が得られない原因として、ふかし壁１１の中空部１８が空気ばねとして働く空気ばね作用が考えられる。
【００５７】
図７は、本発明に係る間仕切壁構造を示す隔壁の縦断面図であり、図８は、図７に示す隔壁の部分横断面図である。また、図９は、図７及び図８に示す隔壁の破断斜視図である。なお、図９においては、図７に示す天井構造体及び床構造体の図示は省略されている。
【００５８】
本発明の実施例に係る隔壁５０は、壁芯位置に配置された中央面材部６０と、両側の壁面を形成する一対の外側面材部７０と、中央面材部６０の両側に形成された同厚の中空部（空気層）６８とから構成される。図７に示す如く、中空部（空気層）６８は、壁芯に対して実質的に対称に形成される。中央面材部６０は、図１〜図６に示された隔壁１に相当する壁体であるが、２枚の面材を接着剤で張り合わせた積層体からなり、図１〜図６に示された中空部８に相当する中空部を備えていない。また、外側面材部７０及び中空部６８は、図４〜図６に示されたふかし壁１１に相当する壁体部分であるが、外側面材部７０は、２枚の面材を張り合わせた面材積層体からなる。
【００５９】
隔壁５０の壁下地は、床構造体Ｆ１上に配置された一対の下部ランナ６２と、上階構造体Ｆ２の下面に固定された一対の上部ランナ６３と、上下のランナ６２、６３の間に垂直に建込まれた多数の間柱６１、６４とから構成される。間柱６１は６０６ｍｍ間隔に配置され、間柱６４も又、６０６ｍｍ間隔に配置される。
【００６０】
中央面材部６０を構成する内装ボード材６５がビス等の係止具によって間柱６１の片側面に固定される。中央面材部６０を構成する内装ボード６６がステープル及び／又は接着剤によって内装ボード材６５の外面に固定される。敷目板６７が音響絶縁材として内装ボード材６５と間柱６１との間に介挿される。敷目板６７はスタッド６１の全高に亘って延在する。敷目板６７は振動吸収効果によって固体伝播音の伝達を防止する。
【００６１】
ランナ６２、６３は、中央面材部６０の両側に平行に配置され、間柱６４は、中央面材部６０の各面に沿って配列される。外側面材部７０を構成する内装ボード材７５がビス等の係止具によって間柱６１の片側面に固定される。外側面材部７０を構成する内装ボード７６がステープル及び／又は接着剤によって内装ボード材７５の外面に固定される。内装ボード材７６の表面（室内側面）には、塗装又はクロス貼り仕上等の所望の内装仕上が施される。敷目板７７が音響絶縁材として内装ボード材７５と間柱６４との間に介挿される。敷目板７７は間柱６４の全高に亘って延在する。敷目板７７は振動吸収効果によって固体伝播音の伝達を防止する。内装ボード材７５、７６は外側面材部７０を構成する。面材部６０、７０の間には、中空部（空気層）６８が形成される。断熱・吸音材６９が中空部６８に挿入される。
【００６２】
隔壁５０の構成部材として、例えば、以下の建築材料が使用される。
・下部ランナ６２  ：軽量型鋼Ｃ−５０mm×４０、３２mm×０．５mm
・上部ランナ６３  ：軽量型鋼Ｃ−５０mm×４０、３２mm×０．５mm
・間柱６１、６４：軽量型鋼Ｃ−５０mm×４５mm×０．５mm
・内装ボード材６５、６６：強化石膏ボード・厚さ２１mm（吉野石膏株式会社製品「タイガーボード・タイプＺ」）
・内装ボード材７５：石膏ボード・厚さ１２．５mm
・内装ボード材７６：硬質石膏ボード・厚さ９．５mm（吉野石膏株式会社製品「タイガースーパーハード」）
・敷目板６７、７７：グラスファイバーフェルト製音響絶縁材（吉野石膏株式会社製品「タイガーグラスパット」）
【００６３】
隔壁５０を構成する面材の材質、板厚及び枚数は、隔壁１０（図４〜図６）を構成する面材の材質、板厚及び枚数と同一である。隔壁５０の壁厚Ｔ50は、約２００ｍｍであり、隔壁１（図１〜図３）の壁厚Ｔ1（約１３５ｍｍ）よりも大きいが、隔壁１０（図４〜図６）の壁厚Ｔ10（約２６０ｍｍ）よりもかなり小さい寸法である。
【００６４】
図１０、図１１及び図１２は、隔壁５０を構成する３つの単位隔壁の各構成を示す部分横断面図及び破断斜視図である。なお、図１１及び図１２において、ボード建材のボード目地は、図示を省略されている。
【００６５】
隔壁５０は、図１０及び図１１に示す３つの単位隔壁を図１２に示す如く互いに組み付けた構造を有する。単位隔壁は、いずれも、間柱６１、６４の片側のみに内装ボード材６５、６６、７５、７６及び敷目板６７、７７を取付けた構造を有し、間柱６１、６４の反対の側の面は、垂直な壁面を形成する。隔壁５０の中央に位置する単位隔壁は、隔壁５０の中央壁５１を構成し、中央壁５１の両側に位置する単位隔壁は、隔壁５０の室内側壁面を形成する外側壁５２を構成する。
【００６６】
両側の単位隔壁は、中央に位置する単位隔壁の両側に建て込まれ、壁面を外側（室内側）に向けた状態で中央の単位隔壁に組み付けられる。かくして、３つの単位隔壁（外側壁５２、中央壁５１及び外側壁５２）によって、中空三重壁構造の隔壁５０が形成される。実際の施工は、中央壁５１の単位隔壁を先に建て込んだ後、両側の外側壁５２の単位隔壁を建て込むことによって実施され、或いは、一方の側の外側壁５２を構成する単位隔壁を先に建て込んだ後、中央壁５１の単位隔壁を建て込むことによって実施される。
【００６７】
中央壁５１を構成する単位隔壁は、特開２００２−３６９８９１号公報（特許文献３）に記載された耐火間仕切壁と実質的に同じ耐火間仕切壁であり、単位隔壁自体で耐火間仕切壁としての所望の耐火性能を発揮する。従って、隔壁５０を集合住宅の戸境壁や、ホテルの客室等の隔壁として使用した場合であっても、仮想線で示す金属製配線ボックス９０、電線配管９１、電線９２及び配線器具９３等のような建築設備器具、配線器具及び配管・配線等を中空部６８及び内装ボード材７５、７６（面材部７０）に配設することができ、また、吊り戸棚、壁掛けテレビ等の壁面一体形の家具・備品を隔壁５０に固定することができる。
【００６８】
隔壁５０の音響特性が図１３に示されている。隔壁５０の音響透過損失は、全周波数域において隔壁１、１０の音響透過損失を上回っており、隔壁５０は、遮音性能ＴＬＤ−６３の性能を発揮する遮音壁である。従って、本発明によれば、同じ面材の材質、板厚及び枚数によって形成された隔壁１０と対比して遮音性能を大きく向上し得るにもかかわらず、隔壁１０に比べて壁厚を大きく低減することができる（従って、室内の有効面積を拡大することができる）。しかも、隔壁５０は、隔壁１と異なり、建築設備器具、配線器具及び配管・配線、家具・備品等を壁内又は壁面に設置し又は固定することができる。
【００６９】
本発明者等の実験によれば、図７及び図８に矢印で示す如く片側の壁面を所定の力で叩くと、外側面材部７０は振動し、中空部６８に面する内装ボード材７５の面を音源とした打撃音が中空部６８内に発生したが、外側面材部７０に作用した衝撃又は振動は、敷目板７７の緩衝作用によって減衰し、中空部６８内に発生する発生音の騒音レベルは比較的低く、中空部６８内に発生した打撃音の騒音レベルは８０ｄＢ（Ａ）であった。この打撃音は、中央面材部６０及び外側面材部７０を透過して反対側の壁面から室内空間に伝播したが、騒音レベルは４５ｄＢ（Ａ）に低下した。打撃音に対する隔壁部分５５（図７及び図８）の遮断性能は３５ｄＢ（Ａ）である。
【００７０】
本発明に係る隔壁５０は、遮音性能（ＴＬＤ）において従来の中空二重壁構造及び中空四重壁構造の隔壁１、１０よりも優れ、隣戸又は隣室の打撃音及び扉開閉音によって生じる室内騒音は、従来の隔壁１、１０に比べてかなり低い。
【００７１】
また、本発明に係る隔壁５０によれば、中空四重壁構造の隔壁１０と同様、設備器具等の壁面配置や、家具・備品等の壁面取付けを行うことができる点において中空二重壁構造の隔壁１よりも優れ、壁体の壁厚が中空四重壁構造の隔壁１０よりもかなり小さい点において、中空四重壁構造の隔壁１０よりも優れる。
【００７２】
以上、本発明の好適な実施例について詳細に説明したが、本発明は上記実施例に限定されるものではなく、特許請求の範囲に記載された本発明の範囲内で種々の変形又は変更が可能である。
【００７３】
例えば、上記実施例では、本発明の間仕切壁構造において使用可能な面材として石膏ボード、硬質石膏ボード及び強化石膏ボードが挙げられているが、使用可能な他の面材として、構造用石膏ボード、シージング石膏ボード、化粧石膏ボード等の石膏ボード、石膏板、スラグ石膏板、繊維補強石膏板（商品名「タイガーグラスロック（登録商標）」（吉野石膏株式会社製品））等の石膏系面材、珪酸カルシウム板、セメント系ボード（「デラクリート」（登録商標）等）、木質系合板、窯業系サイディング等の非石膏系面材が挙げられる。
【００７４】
また、本発明の間仕切壁構造において使用可能な敷目板として、グラスファイバーフェルト又はロックウールフェルトの帯状成形材の他、圧縮時に１〜６ｍｍ程度の厚さを有する天然ゴム系材料、合成ゴム系材料又は合成樹脂系材料の帯状成形材、或いは、合成樹脂系塗料を１〜６ｍｍ程度の厚さに間柱に帯状に塗布してなる緩衝帯などが挙げられる。
【００７５】
更には、上記実施例では、断熱・吸音材が中空部に挿入又は充填されているが、断熱・吸音材の挿入又は充填を省略することも可能である。
【産業上の利用可能性】
【００７６】
本発明は、中高層集合住宅、中高層ホテル等の中高層建築物の戸境壁、界壁又は耐火区画壁等の乾式間仕切壁に好ましく適用することができる。本発明の間仕切壁構造によれば、壁体の対称性を確保するとともに、壁厚を大きく増大することなく、衝撃音等が隣戸又は隣室に騒音伝播するのを効果的に防止することができる。
【符号の説明】
【００７７】
５０  隔壁
５１  中央壁
５２  外側壁
６０  中央面材部
６２  下部ランナ
６３  上部ランナ
６１、６４  間柱
６５、６６、７５、７６  内装ボード材
６７、７７  敷目板
６８  中空部（空気層）
６９  断熱・吸音材
７０  外側面材部
Ｆ１  床構造体
Ｆ２  上階構造体
【図１】
2010265645.tif 000003
【図２】
2010265645.tif 000004
【図３】
2010265645.tif 000005
【図４】
2010265645.tif 000006
【図５】
2010265645.tif 000007
【図６】
2010265645.tif 000008
【図７】
2010265645.tif 000009
【図８】
2010265645.tif 000010
【図９】
2010265645.tif 000011
【図１０】
2010265645.tif 000012
【図１１】
2010265645.tif 000013
【図１２】
2010265645.tif 000014
【図１３】
2010265645.tif 000015
【図１４】
2010265645.tif 000016